(57)【要約】【課題】郵送においては、どのような状況になるかわからない。時として不注意に粗雑に取り扱われてしまうことがあり、従来の情報記憶媒体の固定方法では充分な固定方法とはいえなかった。郵送後、封筒を開封すると、情報記憶媒体が様々にずれていたり、動いていたりすることがあった。【解決手段】シート面を折曲部で折り畳んで組み立てる同一素材からなる郵送用シート材であって、 切欠部と係止凸部とを有するシート面が２面、係止凸部を有するシート面が１面、接着部と２本の切り取り線とを有するシート面が１面であり、これら４面のシート面が底面となるシート面と４つの折曲部で区切られていて、 それら折曲部のうち、係止孔を有する側面となる折曲部が２つである。【効果】誰にでも簡便に組み立てられ、どのような郵送にも耐えうる。また郵送後、これを開封するにあたっては、容易に開封することができ、さらに分別することなく、廃棄することもできる。【選択図】図１
0003108047.tif 000002
【実用新案登録請求の範囲】
【請求項１】
シート面を折曲部で折り畳んで組み立てる同一素材からなる郵送用シート材であって、
切欠部と係止凸部とを有するシート面が２面、
係止凸部を有するシート面が１面、
接着部と２本の切り取り線とを有するシート面が１面であり、
これら４面のシート面が底面となるシート面と
４つの折曲部で区切られていて、
それら折曲部のうち、係止孔を有する側面となる折曲部が２つである
ことを特徴とする情報記憶媒体郵送用シート材。
【考案の詳細な説明】
【技術分野】
【０００１】
本考案は、コンパクトディスクやメモリーカードなどの情報記憶媒体を郵送する封筒を形成するためのシート材に関する。
【背景技術】
【０００２】
従来から、コンパクトディスクなどの情報記憶媒体を郵送するためには、情報記憶媒体を専用ケースに入れて、それをさらに封筒などに入れて郵送する方法や、情報記憶媒体を固定する部材と郵送するための封筒とが一体になったシート材を用いて郵送する方法が取られてきた。
【０００３】
情報記憶媒体を固定する部材と郵送するための封筒とが一体になったシート材としては、さまざまな形状のものが考案されている。特に、情報記憶媒体を周囲から固定する方法として、以下のようなものがある。
【０００４】
切欠部により情報記憶媒体を固定する方法（特許第２６８１７７０号、特許第３１９４４２４号）や、切欠部を設けずに封筒の縁や切れ目で固定する方法（特許第３２７１５８７号、実案第３０４２７９１号）や、特別な切欠部、特別な縁や切れ目などを用いず、封筒自体で固定する方法（実案第３０３６０３７号、案案第３０８７８９２号）などがある。
【考案の開示】
【考案が解決しようとする課題】
【０００５】
郵送においては、どのような状況になるかわからない。時として不注意に粗雑に取り扱われてしまうことがあり、これら従来の固定方法では充分な固定方法とはいえなかった。郵送後、封筒を開封すると、情報記憶媒体が様々にずれていたり、動いていたりすることがあった。
【０００６】
情報記憶媒体の一種であるコンパクトディスクの場合、中央の孔を利用して、プラスチックなどの成型品で作られた固定部で固定する方法が取られることもある（実案第３０２１０５１号、特開第Ｈ１０−１７５６８９号）。しかしこの場合、廃棄時に分別する必要があり、封筒を受取った人が間違って分別せずに廃棄してしまうこともあった。
【０００７】
これらのような問題を無くすために、情報記憶媒体の固定が充分にでき、かつ簡単な構造で、組み立ても開封も簡便にして、さらに廃棄も分別することなく、情報記憶媒体を郵送できる封筒を形成するシート材を提供するものである。
【特許文献１】特許第２６８１７７０号
【特許文献２】特許第３１９４４２４号
【特許文献３】特許第３２７１５８７号
【特許文献４】実案第３０４２７９１号
【特許文献５】実案第３０３６０３７号
【特許文献６】案案第３０８７８９２号
【特許文献７】実案第３０２１０５１号
【特許文献８】特開第Ｈ１０−１７５６８９号
【課題を解決するための手段】
【０００８】
本考案は、
シート面を折曲部で折り畳んで組み立てる同一素材からなる郵送用シート材であって、
切欠部と係止凸部とを有するシート面が２面、
係止凸部を有するシート面が１面、
接着部と２本の切り取り線とを有するシート面が１面であり、
これら４面のシート面が底面となるシート面と
４つの折曲部で区切られていて、
それら折曲部のうち、係止孔を有する側面となる折曲部が２つである
ことを特徴とする。
【考案の効果】
【０００９】
本考案は、情報記憶媒体をシート底面上に置き、切欠部と係止凸部とを有するシート面の２面を折り畳み、その係止凸部が折曲部側面の係止孔に係ることで、情報記憶媒体の平面形状に切欠部が合い、情報記憶媒体を平面方向に対して固定することができ、係止凸部を有するシート面の１面を折り畳み、その係止凸部も折曲部側面の係止孔に係ることで、情報記憶媒体を上下方向に対して押さえて固定することができ、さらに接着部と２本の切り取り線とを有するシート面の１面を折り畳み、接着部にて接着することで、折り畳んだシート全体を固定し、封をすることができ、どのような郵送にも耐えうるものとなる。
【００１０】
また上記の通り、この折り畳んで組み立てる方式は、誰にでもできる簡便なものである。そして郵送後、これを開封するにあたっては、切り取り線にて切り開くことで容易に開封することができる。さらに同一素材からできているので、分別することなく、廃棄することもできる。
【考案を実施するための最良の形態】
【００１１】
以下、本考案の実施の形態を、図に基づいて説明する。
【００１２】
なお、本考案に用いる素材は、ある程度の厚みと折り畳める柔軟性のある素材であればよく、例えば、厚紙、プラスチックなどを用いることができる。また、素材の厚みは、情報記憶媒体の厚みより厚すぎると、情報記憶媒体を押さえて固定することができないため、情報記憶媒体の厚み程度かそれより薄い方が良い。
【実施例１】
【００１３】
情報記憶媒体としてコンパクトディスクを想定している。
【００１４】
図１は、コンパクトディスク用の本考案の展開図である。１枚のシート材１０からなり、底面２１にあたるシート面に４つの折曲部１１で区切られたシート面が４面ある。
【００１５】
切欠部１２と係止凸部１３とを有するシート面が２面であり、
係止凸部１３を有するシート面が１面であり、
接着部１６と２本の切り取り線１５とを有するシート面が１面である。
また、４つの折曲部１１のうちで、係止孔１４を有する側面２２となる折曲部が２つある。
【００１６】
図２は、シート底面２１上にコンパクトディスク２５を置いて、シート面２面を折り畳んだ図である。コンパクトディスク２５が２つの切欠部１２により平面方向に対して固定される。また、係止凸部１３が係止孔１４に係っている。これにより、折り畳んだシート面自体のずれを抑制している。
【００１７】
図３は、コンパクトディスク２５の上へシート面を折り畳んだ図であり、コンパクトディスク２５が押さえられて上下方向に対して固定されている。図３では、シート内部のコンパクトディスク２５を破線で示している。また、係止凸部１３が係止孔１４に係っている。これにより、ここで折り畳んだシート面自体のずれを抑制している。
【００１８】
図４は、さらにシート面を折り畳んで、接着部で接着したものであり、郵送時の形である。接着部で接着することにより、これまで折り畳んだシート面４面がすべて固定される。
【実施例２】
【００１９】
情報記憶媒体としてメモリーカードやフレキシブルディスクのような四角い場合を想定している。
【００２０】
図５は、メモリーカードやフレキシブルディスクのような四角い情報記憶媒体用の本考案の展開図であり、切欠部１２が情報記憶媒体の形状に合わせて、四角く切り欠かれている。これにより、情報記憶媒体の四角い形状に合わせて固定することができる。
【図面の簡単な説明】
【００２１】
【図１】コンパクトディスク用の本考案の展開図。
【図２】切欠部と係止凸部とを有するシート面２面を折り畳んだ図。
【図３】係止凸部を有するシート面1面を折り畳んだ図。
【図４】接着部と２本の切り取り線とを有するシート面１面を折り畳んで、接着部で接着した図。
【図５】メモリーカードやフレキシブルディスクのような四角い情報記憶媒体用の本考案の展開図。
【符号の説明】
【００２２】
１０    シート材
１１    折曲部
１２    切欠部
１３    係止凸部
１４    係止孔
１５    切り取り線
１６    接着部
２０    シート面
２１    底面
２２    側面
２５    コンパクトディスク
【図１】
0003108047.tif 000003
【図２】
0003108047.tif 000004
【図３】
0003108047.tif 000005
【図４】
0003108047.tif 000006
【図５】
0003108047.tif 000007